(57)【要約】ホールソー（Ｈ）で既設管（１）を穿孔する穿孔工程と、切削溝（１０）からプラグを既設管（１）内に挿入するプラグ挿入工程とを備えた不断流工法であって、穿孔工程に先立って、分岐管部（４２）に円周方向の半周にわたって切り開かれた半周溝（２０）を有するＴ字管（４）を用意する工程と、穿孔工程の後に、Ｔ字管（４）の分岐管部（４２）に配管材（６）を接続する接続工程と、接続工程の後に、半周溝（２０）に挿入した第１ゲート（Ｇ１）を抜く工程とを備え、プラグ挿入工程において、第１ゲート（Ｇ１）をプラグとして切削溝（１０）から既設管（１）内に挿入する。
2019188778.tif 000002
【特許請求の範囲】
【請求項１】
不断流工法であって、  バイパス配管を設けるために、本体部４１および分岐管部４２を有するＴ字管４の前記本体部４１を既設管１に装着し、前記分岐管部４２を開閉する第１ゲートＧ１を開閉してホールソーＨで前記既設管１を穿孔する穿孔工程と、  前記既設管１にケース５を装着し、前記ケース５内に配置したエンドミルＥを前記ケース５と共に回転し半周にわたって切り開いた切削溝１０を形成し、前記切削溝１０からプラグを前記既設管１内に挿入するプラグ挿入工程と、  前記穿孔工程に先立って、前記分岐管部４２に円周方向Ｒの半周にわたって切り開かれた半周溝２０を有する前記Ｔ字管４を用意する工程と、  前記穿孔工程の後に、前記Ｔ字管４の前記分岐管部４２に配管材６を接続する接続工程と、  前記接続工程の後に、前記半周溝２０に挿入した前記第１ゲートＧ１を前記分岐管部４２から抜く工程とを備え、  前記プラグ挿入工程において、前記第１ゲートＧ１又は前記第１ゲートＧ１と同一形状および構造を有する別の第１ゲートを前記プラグとして前記切削溝１０から前記既設管１内に挿入することを特徴とする不断流工法。
【請求項２】
請求項１において、  前記プラグ挿入工程において、前記第１ゲートＧ１を前記プラグとして前記切削溝１０から前記既設管１内に挿入することを特徴とする、不断流工法。
【請求項３】
請求項１もしくは２において、  前記穿孔工程の後に、前記分岐管部４２に前記配管材６としてのバタフライ弁を接続して、前記接続工程が実行され、  前記バタフライ弁が閉弁された状態で、前記第１ゲートＧ１を前記分岐管部４２から抜く工程が実行されることを特徴とする、不断流工法。
【請求項４】
請求項３において、  前記バタフライ弁にバイパス配管を接続する工程と、  前記バイパス配管の接続後に、前記第１ゲートＧ１で前記既設管１内の流体の流れを止める工程を実行することを特徴とする、不断流工法。
【請求項５】
請求項２において、  前記分岐管部４２は、前記半周溝２０の真上に向って延び前記第１ゲートＧ１の第１アクセス通路４３を定義する第１筒部４４を有し、  前記分岐管部４２の径方向に平行に、かつ、水平方向に進退移動して、前記第１アクセス通路４３を開閉する第２ゲートＧ２を前記分岐管部４２に設置する工程を更に備え、  前記第２ゲートＧ２により前記第１アクセス通路４３を開閉して前記第１ゲートＧ１を前記分岐管部４２から抜く工程を実行する、不断流工法。
【請求項６】
請求項５において、  前記ケース５は前記切削溝１０の真上に向って延び前記第１ゲートＧ１の第２アクセス通路５３を定義する第２筒部５４を有し、  前記第２ゲートＧ２を前記第１筒部４４から取り外す工程と、  前記ケース５の径方向に平行に、かつ、水平方向に進退して、前記第２アクセス通路５３を開閉する前記第２ゲートＧ２を前記第２筒部５４に設置する工程と、  前記第２ゲートＧ２により前記第２アクセス通路５３を開閉して、前記既設管１に挿入した前記第１ゲートＧ１を前記既設管１から抜く工程とを更に備える、不断流工法。
【請求項７】
Ｔ字管４の分岐管部４２に第１ゲートＧ１を有する穿孔用の不断流装置であって、  前記Ｔ字管４の前記分岐管部４２には円周方向Ｒの半周にわたって切り開かれた半周溝２０が形成され、  前記半周溝２０は両端において下方に向って凸の一対の半円形状部２１と、前記円周方向Ｒに延び前記半円形状部２１同士を連ねる一定幅の溝部２２とを備え、  前記第１ゲートＧ１は、前記半周溝２０から前記分岐管部４２内に挿入される円形状部を有する弁体１１と、前記弁体１１の側方に向かって突出する一対の弁体側部１２と、前記弁体側部１２から下方に向って延びる一対のガイダ１３と、シール用のゴムパッキン１４とを備え、  前記ゴムパッキン１４は、  前記円形状部の上半部に装着され、前記溝部２２を定義する一対の平行な第１端面に接するひも状の一対の上部１５と、  前記円形状部の下半部に装着され、前記分岐管部４２の内周面に接するひも状の下部１６と、  前記弁体１１の両サイドに各々装着される一対の中間部１７とを備え、  前記各中間部１７には各々前記一対の上部１５が上方から連なり前記下部１６が下方から連なり、  前記各中間部１７は前記円形状部に嵌る半円柱状部１８を有し、  前記各中間部１７は前記弁体側部１２の下面に接合される上面Ｆ０と、前記弁体１１の側面に接合される第１側面Ｆ１と、前記ガイダ１３に接合される第２側面Ｆ２とを有する、不断流装置。
【請求項８】
穿孔用の不断流装置であって、  本体部４１および分岐管部４２を有するＴ字管４と第１ゲートＧ１とを有し、  前記分岐管部４２には円周方向Ｒの半周にわたって切り開かれた半周溝２０が形成され、  前記第１第１ゲートＧ１は前記半周溝２０から前記分岐管部４２内に侵入して前記分岐管部４２内の流体の流れを止め、  前記半周溝２０の真上に向って延び前記第１ゲートＧ１の第１アクセス通路４３を定義する第１筒部４４が前記分岐管部４２に結合され、  前記分岐管部４２の径方向に平行に進退移動して、前記第１アクセス通路４３を開閉する第２ゲートＧ２が設けられ、  前記第２ゲートＧ２が前記アクセス通路４３を開いている際に前記第２ゲートＧ２を収容する鞘２が設けられ、  前記第１筒部４４には前記第２ゲートＧ２を含む前記鞘２が装着される第１装着フランジ４５が設けられ、  前記第１筒部４４における前記第１装着フランジ４５の内側の部分に小弁体Ｖの第１収容部４６が設けられ、  前記第１収容部４６内の前記小弁体Ｖを前記第１筒部４４の外から開閉操作することで前記鞘２の着脱を可能とする操作部３１が設けられている、不断流装置。
【発明の詳細な説明】
【技術分野】
【０００１】  本発明は不断流工法および装置に関する。
【背景技術】
【０００２】  従来より、既設の管路にバイパス配管を設けるために、２箇所で不断流穿孔およびプラグ挿入を行う工法は周知である。【０００３】バイパス配管を設けるための不断水穿孔工法として、本体部および分岐管部を有するＴ字管の前記本体部を既設管に装着し、前記分岐管部を開閉するゲートを開閉してホールソーで前記既設管を穿孔する工法は周知である。一方、プラグ挿入工法として、前記既設管にケースを装着し、前記ケース内に配置したエンドミルを前記ケースと共に回転し半周にわたって切り開いた切削溝を形成し、前記切削溝からプラグを前記既設管内に挿入する工法は周知である。
【先行技術文献】
【特許文献】
【０００４】
【特許文献１】ＵＳ７，０２１，３２５  Ｂ２（フロントページ）
【発明の概要】
【０００５】前記不断水穿孔工法には作業弁として１つのゲートが必要である。穿孔する口径が大きい場合、前記ゲートは弁体が大きいだけでなく弁箱は更に大きく、過大なコストの要因となる。また、分岐管部の上方に大きな空間が必要になる。
【０００６】一方、前記プラグ挿入工法には、プラグとしてのゲートやバタフライ弁が必要である。これらのゲートや弁及びこれらに付属する継輪などはメーカーの工法ごとに開発されたもので、規格品に比べ著しく高価である。これは過大なコストの要因となる。
【０００７】本発明の目的は前記２つの工法における作業弁やプラグのコストダウンを図ることにあり、特に、不断流工法における作業弁としてのゲートに関するコストを低減することである。
【０００８】本発明は第１の局面において、不断流工法であって、  バイパス配管を設けるために、本体部４１および分岐管部４２を有するＴ字管４の前記本体部４１を既設管１に装着し、前記分岐管部４２を開閉する第１ゲートＧ１を開閉してホールソーＨで前記既設管１を穿孔する穿孔工程と、  前記既設管１にケース５を装着し、前記ケース５内に配置したエンドミルＥを前記ケース５と共に回転し半周にわたって切り開いた切削溝１０を形成し、前記切削溝１０からプラグを前記既設管１内に挿入するプラグ挿入工程と、  前記穿孔工程に先立って、前記分岐管部４２に円周方向Ｒの半周にわたって切り開かれた半周溝２０を有する前記Ｔ字管４を用意する工程と、  前記穿孔工程の後に、前記Ｔ字管４の前記分岐管部４２に配管材６を接続する接続工程と、  前記接続工程の後に、前記半周溝２０に挿入した前記第１ゲートＧ１を前記分岐管部４２から抜く工程とを備え、前記プラグ挿入工程において、前記第１ゲートＧ１又は前記第１ゲートＧ１と同一形状および構造を有する別の第１ゲートを前記プラグとして前記切削溝１０から前記既設管１内に挿入する。
【０００９】この局面においては、前記穿孔工程で用いた作業用の第１ゲート又は前記穿孔工程において用いることのできる別の第１ゲートをプラグとして既設管１に挿入する。そのため、穿孔工程の作業用ゲート及びプラグ用のゲートを１つの第１ゲートにすることができる。したがって、バイパス配管のための費用が安価になる。
【００１０】特に、第１ゲートの開発費用、設計費用および在庫費用などが安くなるだけでなく、第１ゲートを収容するタンクや第１ゲートを挿入および回収するための第２ゲートなども共用でき、著しいコストダウンを図ることができる。
【００１１】本発明は第２の局面において、Ｔ字管４の分岐管部４２に第１ゲートＧ１を有する穿孔用の不断流装置であって、  前記Ｔ字管４の前記分岐管部４２には円周方向Ｒの半周にわたって切り開かれた半周溝２０が形成され、  前記半周溝２０は両端において下方に向って凸の一対の半円形状部２１と、前記円周方向Ｒに延び前記半円形状部２１同士を連ねる一定幅の溝部２２とを備え、  前記第１ゲートＧ１は、前記半周溝２０から前記分岐管部４２内に挿入される円形状部を有する弁体１１と、前記弁体１１の側方に向かって突出する一対の弁体側部１２と、前記弁体側部１２から下方に向って延びる一対のガイダ１３と、シール用のゴムパッキン１４とを備え、  前記ゴムパッキン１４は、  前記円形状部の上半部に装着され、前記溝部２２を定義する一対の平行な第１端面に接するひも状の一対の上部１５と、  前記円形状部の下半部に装着され、前記分岐管部４２の内周面に接するひも状の下部１６と、  前記弁体１１の両サイドに各々装着される一対の中間部１７とを備え、  前記各中間部１７には各々前記一対の上部１５が上方から連なり前記下部１６が下方から連なり、  前記各中間部１７は前記円形状部に嵌る半円柱状部１８を有し、前記各中間部１７は前記弁体側部１２の下面に接合される上面Ｆ０と、前記弁体１１の側面に接合される第１側面Ｆ１と、前記ガイダ１３に接合される第２側面Ｆ２とを有する。
【００１２】この局面においては、Ｔ字管４の分岐管部４２には円周方向Ｒの半周にわたって切り開かれた半周溝２０が形成されている。この半周溝２０は既設管１をエンドミルで切削して形成される切削溝１０と同等の形状を持つことができる。したがって、穿孔工事のための作業弁としての第１ゲートＧ１をプラグ挿入用のゲートとして用いることができる。なお、第１ゲートＧ１はプラグ挿入用のゲートとして用いずに、穿孔工事のための作業弁として用いられてもよい。
【００１３】シール用のゴムパッキン１４の中間部１７は、半周溝２０の半円形状部２１に嵌る半円柱状部１８を有する。半円形状部２１は三次元的に複雑な形状を持つ一方で、前記半円柱状部１８は単純な形状で、設計および製造が容易である。したがって、第１ゲートＧ１のコストダウンを図り得る。
【００１４】また、中間部１７は、ひも状の上部１５および下部１６に比べボリュームが大きく、そのため、圧縮代が大きく第１ゲートＧ１のシール機能が高まる。
【００１５】本発明は第３の局面において、穿孔用の不断流装置であって、  本体部４１および分岐管部４２を有するＴ字管４と第１ゲートＧ１とを有し、  前記分岐管部４２には円周方向Ｒの半周にわたって切り開かれた半周溝２０が形成され、  前記第１第１ゲートＧ１は前記半周溝２０から前記分岐管部４２内に侵入して前記分岐管部４２内の流体の流れを止め、  前記半周溝２０の真上に向って延び前記第１ゲートＧ１の第１アクセス通路４３を定義する第１筒部４４が前記分岐管部４２に結合され、  前記分岐管部４２の径方向に平行に進退移動して、前記第１アクセス通路４３を開閉する第２ゲートＧ２が設けられ、  前記第２ゲートＧ２が前記アクセス通路４３を開いている際に前記第２ゲートＧ２を収容する鞘２が設けられ、  前記第１筒部４４には前記第２ゲートＧ２を含む前記鞘２が装着される第１装着フランジ４５が設けられ、  前記第１筒部４４における前記第１装着フランジ４５の内側の部分に小弁体Ｖの第１収容部４６が設けられ、前記第１収容部４６内の前記小弁体Ｖを前記第１筒部４４の外から開閉操作することで前記鞘２の着脱を可能とする操作部３１が設けられている。
【００１６】この局面においては、穿孔作業用の第１ゲートＧ１を回収できるだけでなく、第１ゲートＧ１を回収するための第２ゲートＧ２および鞘２も撤去でき、残存するのは小さな小弁体Ｖのみである。したがって、穿孔工事のコストを著しく低減することができる。なお、本穿孔用の不断流装置はプラグ挿入を伴わない穿孔工事のみの場合にも作業弁として用いられてもよい。
【００１７】特に、第２ゲートＧ２は分岐管部４２の径方向に平行に移動し、そのため、第２ゲートＧ２が帯状の幅の小さい板状となり、小弁体Ｖは当該帯状の第２ゲートＧ２の小さい幅および厚さに相当する小さい開口を開閉する。したがって、管路に残存する小弁体Ｖは著しく小さく、コストダウンを図り得る。
【図面の簡単な説明】
【００１８】
【図１】図１は本発明工法の一実施例を示す配管構造の概略斜視図である。
【図２】図２は穿孔工程に用いる装置の概略斜視図である。
【図３】図３は穿孔工程に用いる装置の一部を断面した概略斜視図である。
【図４】図４（ａ）および（ｂ）は第１ゲートが開弁した状態で示す同装置の断面図である。
【図５】図５（ａ）および（ｂ）は第１ゲートが閉弁した状態で示す同装置の断面図である。
【図６】図６（ａ）は第１ゲートが閉弁した状態のＴ字管を示す一部を断面した概略斜視図、図６（ｂ）はゴムパッキンの概略斜視図である。
【図７】図７（ａ）および（ｂ）は、それぞれ、第１ゲートの分解斜視図およびゴムパッキンの斜視図である。
【図８】図８はＴ字管に上部タンクおよび第２ゲートを取り付けた状態を示す一部断面した概略斜視図である。
【図９】図９はＴ字管に更にバタフライ弁を取り付けた状態を示す一部断面した概略斜視図である。
【図１０】図１０はＴ字管から上部タンクおよび第１ゲートを取り外した状態を示す一部断面した概略斜視図である。
【図１１】図１１（ａ）は小弁体を閉じた状態を示す一部断面したＴ字管の概略斜視図、図１１（ｂ）は小弁体等の概略斜視図である。
【図１２】図１２はＴ字管から第２ゲートを取り外した状態を示すＴ字管の一部断面した概略斜視図である。
【図１３】図１３はＴ字管から第２ゲートを取り外した状態を示すＴ字管の概略斜視図である。
【図１４】図１４は切削溝を形成するためのミリング装置を示す概略斜視図である。
【図１５】図１５は切削中のミリング装置を示す断面図である。
【図１６】図１６は切削溝を形成中の配管構造の一部断面した概略斜視図である。
【図１７】図１７はカッターに代えて第１および第２ゲートをケースに取り付けた状態を示す概略斜視図である。
【図１８】図１８（ａ）および（ｂ）は、それぞれ、同断面図およびケースの継手部を示す断面図である。
【図１９】図１９は第１ゲートが既設管内に侵入した状態を示す概略斜視図である。
【図２０】図２０は第１ゲートを既設管から引き抜いた状態を示す概略斜視図である。
【図２１】図２１は完成した状態を示す管路の概略斜視図である。
【００１９】好ましくは、前記プラグ挿入工程において、前記第１ゲートＧ１を前記プラグとして前記切削溝１０から前記既設管１内に挿入する。【００２０】この場合、不断流穿孔のオペレーションバルブとしての第１ゲートＧ１を、不断流プラグ挿入用のプラグとして用いる。そのため、１つのゲートで穿孔とプラグ挿入の２つの工事を行うことができる。したがって、工事費用が安くなる。【００２１】好ましくは、前記穿孔工程の後に、前記分岐管部４２に前記配管材６としてのバタフライ弁を接続して、前記接続工程が実行され、前記バタフライ弁が閉弁された状態で、前記第１ゲートＧ１を前記分岐管部４２から抜く工程が実行される。【００２２】この場合、第１ゲートＧ１に代えてバタフライ弁を分岐管部４２に接続でき、地中におけるバルブや弁室がコンパクトになる。また、分岐管部４２の上方に突出する部分が小さくなる。【００２３】好ましくは、前記バタフライ弁にバイパス配管を接続する工程と、前記バイパス配管の接続後に、前記第１ゲートＧ１で前記既設管１内の流体の流れを止める工程を実行する。【００２４】これにより、バイパス配管に流体を流した後に、既設管１内の流体の流れを止めることができる。【００２５】好ましくは、前記分岐管部４２は、前記半周溝２０の真上に向って延び前記第１ゲートＧ１の第１アクセス通路４３を定義する第１筒部４４を有し、  前記分岐管部４２の径方向に平行に、かつ、水平方向に進退移動して、前記第１アクセス通路４３を開閉する第２ゲートＧ２を前記分岐管部４２に設置する工程を更に備え、前記第２ゲートＧ２により前記第１アクセス通路４３を開閉して前記第１ゲートＧ１を前記分岐管部４２から抜く工程を実行する。【００２６】このように分岐管部４２から第１ゲートＧ１を抜くことにより、第１ゲートＧ１をオペレーションバルブとして、何回も使うことができる。【００２７】好ましくは、前記ケース５は前記切削溝１０の真上に向って延び前記第１ゲートＧ１の第２アクセス通路５３を定義する第２筒部５４を有し、  前記第２ゲートＧ２を前記第１筒部４４から取り外す工程と、  前記ケース５の径方向に平行に、かつ、水平方向に進退して、前記第２アクセス通路５３を開閉する前記第２ゲートＧ２を前記第２筒部５４に設置する工程と、前記第２ゲートＧ２により前記第２アクセス通路５３を開閉して、前記既設管１に挿入した前記第１ゲートＧ１を前記既設管１から抜く工程とを更に備える。【００２８】この場合、不断流穿孔と不断流プラグ挿入を１つの第１ゲートＧ１で行うことができると共に、前記第１ゲートＧ１を次回以後の工事に用いることができ、著しいコストダウンと納期の短縮を図ることができる。【００２９】１つの前記各実施態様または下記の実施例に関連して説明および／または図示した特徴は、１つまたはそれ以上の他の実施態様または他の実施例において同一または類似な形で、および／または他の実施態様または実施例の特徴と組み合わせて、または、その代わりに利用することができる。【００３０】本発明は、添付の図面を参考にした以下の好適な実施例の説明からより明瞭に理解されるであろう。しかし、実施例および図面は単なる図示および説明のためのものであり、本発明の範囲を定めるために利用されるべきものではない。本発明の範囲は請求の範囲によってのみ定まる。添付図面において、複数の図面における同一の部品番号は、同一または相当部分を示す。
【実施例】
【００３１】  以下、本発明の一実施例を図面にしたがって説明する。  本例は既設管１がスチールパイプである場合について説明する。【００３２】  図１に示すように、本工法は穿孔工程とプラグ挿入工程とを不断流（不断水）下で行いバイパス配管を設ける不断流工法である。本工法は前記穿孔工程において用いた作業用ゲートとしての第１ゲートＧ１をプラグとして切削溝１０から前記既設管１内に挿入する。【００３３】図２および図３に示す穿孔工程は、バイパス配管を設けるために、本体部４１および分岐管部４２を有するＴ字管４の前記本体部４１を既設管１に装着し、前記分岐管部４２を開閉する第１ゲートＧ１を用いて不断水下においてホールソーＨで前記既設管１を穿孔する工程である。【００３４】一方、図１４〜図２１のプラグ挿入工程は、前記既設管１にケース５を装着し、前記ケース５内に配置したエンドミルＥを前記ケース５と共に既設管１の外周に沿って回転させ、半周にわたって切り開いた切削溝１０を形成し、前記切削溝１０からプラグを前記既設管１内に挿入する工程である。【００３５】本工法の詳細な説明に先立って、本工法に用いる前記Ｔ字管４および第１ゲートＧ１を含む穿孔用の不断流装置について説明する。【００３６】図２および図３に示すように、不断流装置は本体部４１および分岐管部４２を有するＴ字管４と第１ゲートＧ１とを有する。【００３７】分岐管部４２は既設管１と同じ内径、外径を持つスチールパイプが用いられる。前記分岐管部４２には円周方向Ｒの半周にわたって切り開かれた半周溝２０が予め形成されている。前記第１ゲートＧ１は前記半周溝２０から前記分岐管部４２内に侵入して前記分岐管部４２内の流体の流れを止める。【００３８】前記半周溝２０の真上に向かって延び前記第１ゲートＧ１の第１アクセス通路４３を定義する第１筒部４４が前記分岐管部４２に結合されている。【００３９】本装置には第２ゲートＧ２，鞘２および第１装着フランジ４５が設けられている。【００４０】すなわち、第２ゲートＧ２は前記分岐管部４２の径方向に平行に、かつ、水平方向に進退移動して、前記第１アクセス通路４３を開閉する。前記第２ゲートＧ２が前記アクセス通路４３を開いている際に、前記鞘２は前記第２ゲートＧ２を収容する。前記第１筒部４４には前記第２ゲートＧ２を含む前記鞘２が装着される装着フランジ４５が設けられている。【００４１】前記第１筒部４４における前記装着フランジ４５の内側の部分には、小弁体Ｖの第１収容部４６が設けられている。前記第１収容部４６内の前記小弁体Ｖを前記筒部４４の外から開閉操作することで、流体の流出を止め、前記鞘２の着脱を不断水下で可能とする操作部３１が設けられている。【００４２】図３〜図５に示すように、前記Ｔ字管４の前記分岐管部４２には円周方向Ｒの半周にわたって切り開かれた半周溝２０が形成されている。図４の前記半周溝２０は両端において下方に向って凸の一対の半円形状部２１と、前記円周方向Ｒに延び前記半円形状部２１同士を連ねる一定幅の溝部２２とを備える。【００４３】図６および図７の前記第１ゲートＧ１は、前記半周溝２０から前記分岐管部４２内に挿入される円形状部１１ｃを有する弁体１１と、前記弁体１１の側方に向かって突出する一対の弁体側部１２と、前記弁体側部１２から下方に向って延びる一対のガイダ１３と、シール用のゴムパッキン１４とを備える。【００４４】前記ゴムパッキン１４は、一対の上部１５、下部１６および一対の中間部１７を備える。なお、一部の図面において、ゴムパッキン１４の部位はグレーで示している。【００４５】図７の一対の上部１５は前記弁体１１の円形状部１１ｃの上半部の縁１５ｅに装着され、図４の前記半周溝２０の溝部２２を定義する一対の平行な端面２２ｆに接するひも状である。図７の前記下部１６は前記弁体１１の円形状部１１ｃの下半部の縁１６ｅに装着され、図４の前記分岐管部４２の内周面に接するひも状である。図７の前記各中間部１７は前記弁体１１の両サイドに各々装着される。【００４６】図７（ｂ）の前記各中間部１７には各々前記一対の上部１５が上方から連なり前記下部１６が下方から連なっている。図６の前記各中間部１７は半周溝２０前記半円形状部２１に嵌る半円柱状部１８を有する。【００４７】図７の前記各中間部１７は前記弁体側部１２の下面に接合される上面Ｆ０（図６）と、前記弁体１１の側面に接合される第１側面Ｆ１と、前記ガイダ１３に接合される第２側面Ｆ２とを有する。【００４８】前記穿孔工程に先立って、図２〜図５に示すＴ字管４，第１ゲートＧ１，第２ゲートＧ２および上部タンク７などを予め用意する。なお、本例では既設管１はスチールパイプである。【００４９】前記分岐管部４２の基端は前記本体部４１に一体に連なっている。既設管１がスチールパイプである場合、本体部４１を含むＴ字管４は既設管１に現場溶接できるスチール製であるのが好ましい。この場合、本体部４１はシリンドリカルな面を持つ湾曲した板であってもよいし、既設管１よりも若干径が大きい円筒管を２つに分割したものであってもよい。【００５０】図３のＴ字管４の前記分岐管部４２には、前述のように、円周方向Ｒの半周にわたって切り開かれた半周溝２０が形成されている。前記分岐管部４２の先端には、図示しない周知の穿孔機を装着する円形フランジ４２ｆが設けられている。なお、この円形フランジ４２ｆ等の各フランジには、ボルトを挿通するために、図示しない多数の貫通孔が形成されている。【００５１】図２の前記分岐管部４２に一体の前記第１筒部４４の上面には方形フランジ４４ｆを介して、前記上部タンク７が装着される。図２の上部タンク７は開弁状態の第１ゲートＧ１を収容するためのもので、図３の上部タンク７内は前記第１アクセス通路４３に連なっている。【００５２】また、図１０の穿孔後に装着する配管材６としてのバタフライ弁および第１蓋板４７などを予め用意する。前記配管材６としてのバタフライ弁は第１ゲートＧ１（図８）の代りに分岐管部４２から流体が流出するのを止める。【００５３】図１０の前記バタフライ弁としては市販品を採用でき、例えばフランジレスのバタフライ弁であってもよい。なお、このバタフライ弁は分岐管部４２の円形フランジ４２ｆと図示しないフランジ短管との間に挟まれて分岐管部４２に接続される。【００５４】つぎに、穿孔工程の詳細について説明する。【００５５】まず、図２に示すように、既設管１にＴ字管４の本体部４１を溶接で装着する。なお、既設管１が鋳鉄管である場合、本体部４１は既設管１を囲繞するように、複数の分割ケースを互いに結合して構成されてもよい。【００５６】ついで、図２の第１ゲートＧ１を収容した上部タンク７が筒部４４の方形フランジ４４ｆに組み立てられる。また、第２ゲートＧ２を収容した鞘２が第１筒部４４の第１装着フランジ４５に組み付けられる。【００５７】その後、周知のように、図３のホールソーＨを持つ穿孔機が分岐管部４２の円形フランジ４２ｆに装着される。第１ゲートＧ１が開いている状態で前記ホールソーＨが既設管１に向って進み、ホールソーＨが回転しながら更に進むと、破線で示す分岐孔Ｈ０が既設管１に穿孔される。【００５８】前記穿孔後、ホールソーＨが退避した後、第１ゲートＧ１が第１アクセス通路４３を通って下方に降りて、図５および図８のように、第１ゲートＧ１が半周溝２０から分岐管部４２内に入り込み、第１ゲートＧ１が閉弁状態となる。この閉弁状態において、第１ゲートＧ１は分岐管部４２から流体が流れ出るのを防ぐ。【００５９】図６の前記閉弁状態において、弁体１１のゴムパッキン１４の上部１５は半周溝２０の溝部２２の端面２２ｆ（図４）に接する。また、弁体１１の中間部１７は半周溝２０の半円形状部２１の端面２１ｆ（図４）に接する。また、弁体１１の下部１６は分岐管部４２の内周面に接する。【００６０】前記穿孔工程の後に、図９の前記Ｔ字管４の前記分岐管部４２に配管材６としてのバタフライ弁を接続する接続工程が実行される。前記バタフライ弁は閉弁状態で接続される。【００６１】前記接続工程の後に、図９に示すように、バタフライ弁が閉弁している状態において、前記半周溝２０に挿入した前記第１ゲートＧ１を分岐管部４２から上部タンク７に引き上げ第１ゲートＧ１を上部タンク７内に収容する。この際、第２ゲートＧ２により第１アクセス通路４３を開閉して前記第１ゲートＧ１を分岐管部４２の第１筒部４４から抜く。【００６２】前記引き上げ後、図２の操作部３１を操作して、図２の小弁体Ｖを図９（ｂ）のように回転させてアクセス開口３３を開き、第２ゲートＧ２をアクセス開口３３から分岐管部４２の径方向に平行に、かつ、水平方向に前進させて第１ゲートＧ１のアクセス通路４３を閉じる。【００６３】こうして図９のアクセス通路４３が閉じられた後に、第１ゲートＧ１を上部タンク７と共に第１筒部４４から取り外す。この取り外し後、図１０の前記第１筒部４４の方形フランジ４４ｆに第１蓋板４７を取り付け、第１筒部４４の第１アクセス通路４３を閉塞する。その後、図１０のように第２ゲートＧ２を鞘２内に退避させて収容する。【００６４】前記収容後、図２の操作部３１（図２）を回転操作して、図１１（ｂ）のように、アクセス開口３３を閉じる。前記アクセス開口３３が閉じた状態で前記第２ゲートＧ２を鞘２と共に第１装着フランジ４５から取り外す。【００６５】この取り外し後、図１３および図１２に示すように、前記第１装着フランジ４５に第２蓋板４８が第１装着フランジ４５に締結される。これにより、アクセス開口３３が完全に閉塞される。なお、バタフライ弁に必要なバイパス配管を接続した後に、周知のように、後述の既設管１の流体の流れを止める。【００６６】つぎに、前記プラグ挿入工程の説明に先立って、この工程に用いる装置について説明する。この装置としては、図１４のミリング装置Ｍの他に、前記穿孔工程後に取り外した図２０の第１および第２ゲートＧ１，Ｇ２などを用いる。【００６７】図１４のミリング装置Ｍは密閉ケース５およびカッター８を備える。前記密閉ケース５およびカッター８は、前記既設管１に破線で示す切削溝１０を形成する。まず、密閉ケース５について説明する。【００６８】密閉ケース５は上下に２分割された第１および第２分割ケース５１，５２が互いに現場で溶接される。この密閉ケース５は既設管１の一部を囲繞する。なお、第１および第２分割ケース５１，５２は鋳鉄製でもよいし、組立ボルトにより互いに締結されていてもよい。また、周知のように、密閉ケース５と既設管１との間はゴムパッキンによりシールされている。【００６９】  前記両分割ケースのうち第１分割ケース５１は、前記Ｔ字管４（図１）の筒部４４と同様な形状および構造の第２筒部５４を備える。【００７０】すなわち、図２０の前記第２筒部５４は前記切削溝１０の真上に向って延び、図２０のように、前記第１ゲートＧ１の第２アクセス通路５３を定義する。【００７１】図２０の前記第２筒部５４には前記第２ゲートＧ２を含む前記鞘２が装着される第２装着フランジ５５が設けられている。図１６の前記第２筒部５４における前記第２装着フランジ５５の内側の部分には第２小弁体Ｖ２の第２収容部５６が設けられている。  前記第２収容部５６内の前記第２小弁体Ｖ２を前記第２筒部５４の外から開閉操作することで、流体の流出を防ぎ、前記鞘２の着脱を不断水下で可能とする第２操作部（図示せず）が設けられている。第２操作部の構造および形状は第１操作部と同様であり、その説明を省略する。【００７２】  つぎに、図１６の前記カッター８のエンドミルＥにより、既設管１に切削溝１０を形成するミリング工法について説明する。【００７３】組立工程：まず、図１４に示すように、既設管１の一部を前記ケース５によって気密状態で囲繞する。すなわち、第１分割ケース５１と第２分割ケース５２とを互いに溶接し、既設管１を上下に挟むように囲繞する。方形フランジ５４ｆを介して前記カッター８を第１分割ケース５１に取り付ける。なお、第２装着フランジ５５には第４蓋板５８を締結する。【００７４】切削工程：その後、図１５の実線および二点鎖線で示すように、カッター８のエンドミルＥを既設管１の中心Ｏに向かって移動させてカッター８のエンドミルＥで既設管１の管壁の一部を切削し、カッター８のエンドミルＥを回転させながら、図１５のミリング装置Ｍ全体を既設管１の周方向Ｒに回転させることで、図１５に示すように既設管１の一部を穿孔して半周にわたる切削溝１０を形成する。【００７５】こうして切削された切削溝１０は図２の前記半周溝２０と同一の形状および大きさである。【００７６】すなわち、図１５および図１８に示すように、既設管１には円周方向Ｒの半周にわたって切り開かれた切削溝１０が形成されている。図１８の前記切削溝１０は両端において下方に向って凸の一対の半円形状部２１と、前記円周方向Ｒに延び前記半円形状部２１同士を連ねる一定幅の溝部２２とを備える。【００７７】したがって、図１８の前記切削溝１０には前記第１ゲートＧ１が入り込み、前記第１ゲートＧ１は既設管１内の流体の流れを止めることができる。【００７８】なお、図１５の前記切削溝１０の切削範囲βは約１８０°であるが、前記ケース５の回転角αは１８０°よりも若干小さい。【００７９】交換工程：その後、図１５のエンドミルＥを退避させ、図１７のように、第２ゲートＧ２を内蔵した鞘２を第２筒部５４の第２装着フランジ５５に装着し、更に、図１８の前記第２ゲートＧ２で前記第２アクセス通路５３を閉塞した後、図１４のカッター８およびエンドミルＥを方形フランジ５４ｆから取り外す。この取り外し後、図１７の前記第１ゲートＧ１を内蔵した上部タンク７を前記方形フランジ５４ｆに取り付ける。【００８０】この交換工程の後に、図１８の第２ゲートＧ２を第２アクセス通路５３から退避させて、第２アクセス通路５３を開く。この後、図１９のように、第１ゲートＧ１が第２アクセス通路５３を通って下方に降りて、第１ゲートＧ１が切削溝１０から既設管１内に入り込み、第１ゲートＧ１が閉弁状態となる。【００８１】前記閉弁状態において、図１８の弁体１１の上部１５は半周溝２０の溝部２２の端面２２ｆに接する。また、弁体１１の中間部１７は切削溝１０の半円形状部２１の端面２１ｆに接する。また、弁体１１の下部１６は既設管１の内周面に接する。【００８２】こうして、同一の１つの第１ゲートＧ１で図１９の既設管１の止水と、図８のＴ字管４の止水とを行うことができる。すなわち、図８の不断流分岐のための穿孔工程と図１９のプラグ挿入工程との双方を１つの第１ゲートＧ１を用いて行うことができる。【００８３】なお、第１ゲートＧ１を既設管１内に残す場合、例えば、商品として第１ゲートＧ１を提供する場合などは、前記第１ゲートＧ１とは別の第１ゲートを予め製造し、この別のゲートをプラグとして用いることもできる。【００８４】前記プラグ挿入工程の後に、前記第１ゲートＧ１が不必要である場合は、既設管１の切り落としなどの必要な管工事を行った後、図１９および図２０に示すように、第２ゲートＧ２により第２アクセス通路５３を開閉して、第１ゲートＧ１を既設管１の切削溝１０から上方の上部タンク７に引き上げ第１ゲートＧ１を撤去する。引き上げ後の撤去方法は前記穿孔工程後と同様であり、その説明を省略する。【００８５】こうして、図２１に示すように、穿孔工事とプラグの挿入工事が完了する。なお、方形フランジ５４ｆには第３蓋板５７が取り付けられ、第２装着フランジ５５には第４蓋板５８が取り付けられてもよい。【００８６】以上のとおり、図面を参照しながら好適な実施例を説明したが、当業者であれば、本明細書を見て、自明な範囲で種々の変更および修正を容易に想定するであろう。たとえば、第１ゲートは外ネジ式のゲートであってもよい。流体はオイルやガスであってもよい。また、プラグ挿入として挿入された第１ゲートを弁として残すこともできる。また、バタフライ弁を設けることなく、プラグ挿入前にバイパス配管を完成させてもよい。したがって、以上のような変更および修正は、請求の範囲から定まる本発明の範囲内のものと解釈される。
【産業上の利用可能性】
【００８７】  本発明の不断流工法および装置は、水道やガスなどの既設管のラインに仕切弁体を挿入し、この挿入した仕切弁体により流体の流れを止めるのに用いることができる。  また、本発明の不断流工法は、不断水穿孔後に分岐配管を設ける場合に採用することができる。
【符号の説明】
【００８８】１：既設管  １０：切削溝  １１：弁体  １１ｃ：円形状部  １２：弁体側部  １３：ガイダ  １４：ゴムパッキン１５：上部  １５ｅ：縁  １６：下部  １６ｅ：縁  １７：中間部  １８：半円柱状部２：鞘２０：半周溝  ２１：半円形状部  ２１ｆ：端面  ２２：溝部  ２２ｆ：端面  ３１：操作部  ３２：第２操作部  ３３：アクセス開口４：Ｔ字管  ４１：本体部  ４２：分岐管部  ４２ｆ：円形フランジ  ４３：第１アクセス通路  ４４：第１筒部  ４４ｆ：方形フランジ４５：第１装着フランジ  ４６：第１収容部  ４７：第１蓋板  ４８：第２蓋板  ５：ケース  ５１：第１分割ケース  ５２：第２分割ケース  ５３：第２アクセス通路５４：第２筒部  ５４ｆ：方形フランジ  ５５：第２装着フランジ  ５６：第２収容部５７：第３蓋板  ５８：第４蓋板６：配管材  ７：上部タンク  ８：カッター  Ｅ：エンドミルＦ０：上面  Ｆ１：第１側面  Ｆ３：第２側面Ｇ１：第１ゲート  Ｇ２：第２ゲート  Ｖ：小弁体  Ｖ２：第２小弁体Ｈ：ホールソー  Ｈ０：分岐孔Ｍ：ミリング装置  Ｏ：中心  Ｒ：円周方向
【図１】
2019188778.tif 000003
【図２】
2019188778.tif 000004
【図３】
2019188778.tif 000005
【図４】
2019188778.tif 000006
【図５】
2019188778.tif 000007
【図６】
2019188778.tif 000008
【図７】
2019188778.tif 000009
【図８】
2019188778.tif 000010
【図９】
2019188778.tif 000011
【図１０】
2019188778.tif 000012
【図１１】
2019188778.tif 000013
【図１２】
2019188778.tif 000014
【図１３】
2019188778.tif 000015
【図１４】
2019188778.tif 000016
【図１５】
2019188778.tif 000017
【図１６】
2019188778.tif 000018
【図１７】
2019188778.tif 000019
【図１８】
2019188778.tif 000020
【図１９】
2019188778.tif 000021
【図２０】
2019188778.tif 000022
【図２１】
2019188778.tif 000023
【国際調査報告】
2019188778.tif 000024
2019188778.tif 000025
2019188778.tif 000026
2019188778.tif 000027